(57)【要約】【課題】端末装置から受信した印刷ジョブの実行により得られるページ画像と原稿のコピーにより得られるページ画像とがページ単位で所望の順序で並ぶ印刷物を容易に得ること。【解決手段】通信部７は、１ページ分以上の出力ページ画像のデータを含む印刷ジョブデータＤ００を端末装置から受信する。混合条件取得部５３は、前記印刷ジョブデータＤ００における出力ページ画像および画像読取部２によって原稿９１から読み取られる１ページ分以上の原稿ページ画像についてのページ単位の印刷順序およびページ単位の印刷数を指定するページ混合条件の情報を取得する。印刷制御部５２は、前記ページ混合条件に従って前記出力ページ画像および前記原稿ページ画像を複数枚のシート９２に形成する混合印刷処理を前記画像形成部３に実行させる。【選択図】図１
2018037823.tif 000002
【特許請求の範囲】
【請求項１】
原稿から画像を読み取る画像読取部と、
１ページ分以上の出力ページ画像のデータを含む印刷ジョブデータを端末装置から受信する通信部と、
シートに画像を形成する画像形成部と、
前記印刷ジョブデータにおける前記出力ページ画像および前記画像読取部によって前記原稿から読み取られる１ページ分以上の原稿ページ画像についてのページ単位の印刷順序およびページ単位の印刷数を指定するページ混合条件の情報を取得する混合条件取得部と、
前記ページ混合条件に従って前記出力ページ画像および前記原稿ページ画像を複数枚の前記シートに形成する混合印刷処理を前記画像形成部に実行させる印刷制御部と、を備える画像形成装置。
【請求項２】
前記ページ混合条件が、複数ページ分の前記出力ページ画像における一部のページの画像を前記原稿ページ画像に置き換える条件または複数ページ分の前記原稿ページ画像における一部のページの画像を前記出力ページ画像に置き換える条件をさらに含む、請求項１に記載の画像形成装置。
【請求項３】
操作部および表示部を含むユーザーインターフェイスをさらに備え、
前記混合条件取得部は、前記ページ混合条件の入力画面を前記表示部に表示させつつ、前記操作部に対する入力操作に従って前記ページ混合条件の情報を取得し、
前記印刷ジョブデータが予め定められた混合印刷コマンドを含む場合に、前記画像読取部が前記原稿の画像を読み取り、かつ、前記混合条件取得部が前記ページ混合条件の情報を取得した後に、前記印刷制御部が前記混合印刷処理を前記画像形成部に実行させる、請求項１に記載の画像形成装置。
【請求項４】
前記混合条件取得部は、少なくとも前記出力ページ画像のページ番号を表す出力サムネイル画像と少なくとも前記原稿ページ画像のページ番号を表す原稿サムネイル画像とを含む前記入力画面を前記表示部に表示させ、前記入力画面における前記出力サムネイル画像および前記原稿サムネイル画像の配列を、前記操作部を通じて入力される前記ページ混合条件に従って更新する、請求項３に記載の画像形成装置。
【請求項５】
前記ページ混合条件の情報を含む前記印刷ジョブデータを受信する前記通信部が前記混合条件取得部を兼ね、
前記印刷ジョブデータが前記ページ混合条件の情報を含む場合に、前記画像読取部が前記原稿の画像を読み取った後に、前記印刷制御部が前記混合印刷処理を前記画像形成部に実行させる、請求項１に記載の画像形成装置。
【発明の詳細な説明】
【技術分野】
【０００１】
本発明は、画像形成装置に関する。
【背景技術】
【０００２】
一般に、原稿の画像を読み取り、読み取った画像をシートに形成するコピー機能を備えた画像形成装置が知られている。また、前記画像形成装置が、先に受け付けたジョブについての印刷処理を中断し、後から受け付けたジョブについての印刷処理を割り込ませる割り込み印刷の機能を備えることが知られている（例えば、特許文献１参照）。
【先行技術文献】
【特許文献】
【０００３】
【特許文献１】特開２０１０−１７１４９４号公報
【発明の概要】
【発明が解決しようとする課題】
【０００４】
ところで、前記画像形成装置において、ユーザーが操作する端末装置から受信した印刷ジョブの実行により得られる第１の印刷物と、原稿のコピーにより得られる第２の印刷物とをページ単位で所望の順序に並べ替えることによって１組の印刷物を得たい場合がある。この場合、２種類の印刷物をページ単位で並べ替える作業が手間である。
【０００５】
本発明の目的は、端末装置から受信した印刷ジョブの実行により得られるページ画像と原稿のコピーにより得られるページ画像とがページ単位で所望の順序で並ぶ印刷物を得ることが容易な画像形成装置を提供することにある。
【課題を解決するための手段】
【０００６】
本発明の一の局面に係る画像形成装置は、画像読取部と、通信部と、画像形成部と、混合条件取得部と、印刷制御部とを備える。前記画像読取部は、原稿から画像を読み取る。前記通信部は、１ページ分以上の出力ページ画像のデータを含む印刷ジョブデータを端末装置から受信する。前記画像形成部は、シートに画像を形成する。前記混合条件取得部は、前記印刷ジョブデータにおける前記出力ページ画像および前記画像読取部によって前記原稿から読み取られる１ページ分以上の原稿ページ画像についてのページ単位の印刷順序およびページ単位の印刷数を指定するページ混合条件の情報を取得する。前記印刷制御部は、前記ページ混合条件に従って前記出力ページ画像および前記原稿ページ画像を複数枚の前記シートに形成する混合印刷処理を前記画像形成部に実行させる。
【発明の効果】
【０００７】
本発明によれば、端末装置から受信した印刷ジョブの実行により得られるページ画像と原稿のコピーにより得られるページ画像とがページ単位で所望の順序で並ぶ印刷物を得ることが容易な画像形成装置を提供することが可能になる。
【図面の簡単な説明】
【０００８】
【図１】図１は、第１実施形態に係る画像形成装置のブロック図である。
【図２】図２は、第１実施形態に係る画像形成装置における受信印刷制御の手順の一例を示すフローチャートである。
【図３】図３は、第１実施形態に係る画像形成装置における混合条件入力画面の一例を示す図である（ページ挿入操作が行われる場合の例）。
【図４】図４は、第１実施形態に係る画像形成装置における混合条件入力画面の一例を示す図である（ページ置換操作が行われる場合の例）。
【図５】図５は、第１実施形態に係る画像形成装置における混合条件入力画面の一例を示す図である（印刷数入力画面を呼び出す操作が行われる場合の例）。
【図６】図６は、第１実施形態に係る画像形成装置における混合条件入力画面の一例を示す図である（印刷数入力画面が表示された場合の例）。
【図７】図７は、第１実施形態に係る画像形成装置における混合条件入力画面の一例を示す図である（混合条件の入力が終了した状態の例）。
【図８】図８は、第１実施形態に係る画像形成装置におけるページ混合条件データの構成の一例を示す図である。
【図９】図９は、第２実施形態に係る画像形成装置における受信印刷制御の手順の一例を示すフローチャートである。
【発明を実施するための形態】
【０００９】
以下、添付図面を参照しながら、本発明の実施形態について説明する。なお、以下の実施形態は、本発明を具体化した一例であって、本発明の技術的範囲を限定する性格を有さない。
【００１０】
［第１実施形態：画像形成装置１０の構成］
第１実施形態に係る画像形成装置１０は、プリンターおよび複写機として機能する装置である。
【００１１】
前記プリンターとして機能する画像形成装置１０は、端末装置８からネットワーク８０を通じて印刷ジョブデータＤ００を受信し、その印刷ジョブデータＤ００に基づく画像をシート９２に形成する。印刷ジョブデータＤ００は、１ページ分以上の出力ページ画像のデータである出力画像データＤ０を含む。なお、端末装置８は、ユーザーによって操作される装置であり、パーソナルコンピューターなどの情報処理装置である。
【００１２】
前記複写機として機能する画像形成装置１０は、原稿９１から画像を読み取り、原稿画像をシート９２に形成する。以下の説明において、原稿９１から読み取られた画像である１ページ分以上の原稿ページ画像を表すデータのことを原稿画像データＤ１と称する。
【００１３】
図１に示されるように、画像形成装置１０は、ＡＤＦ（Auto Document Feeder）１、画像読取部２、画像形成部３，内蔵ストレージ４、制御部５、ユーザーＩ／Ｆ（InterFace）６および通信Ｉ／Ｆ７などを備える。
【００１４】
ユーザーＩ／Ｆ６は、ユーザーの操作を受け付けるタッチパネル６ａと、画像その他の情報を表示する表示部６ｂとを含む。タッチパネル６ａは、パネル状の表示部６ｂと一体に構成されている。なお、タッチパネル６ａは操作部の一例である。
【００１５】
ＡＤＦ１は、供給トレイ１Ａに載置された原稿９１を、供給トレイ１Ａから排出トレイ１Ｂまで１枚ずつ搬送する装置である。ＡＤＦ１は、供給トレイ１Ａに原稿９１が載置されているか否かを検知する原稿センサー１Ｃを備える。
【００１６】
画像読取部２は、原稿９１の画像を読み取り、原稿画像データＤ１を出力する装置である。画像読取部２は、ＡＤＦ１により搬送される原稿９１の画像を読み取ることも可能である。
【００１７】
画像読取部２は、原稿９１に対して光を出射する光源、原稿９１からの反射光を受光して前記原稿画像データを出力するラインセンサーなどを備える。
【００１８】
画像形成部３は、電子写真方式またはインクジェット方式などの予め定められた方式でシート９２に画像を形成する印刷処理を実行する装置である。
【００１９】
内蔵ストレージ４は、コンピューター読み取り可能な不揮発性のメモリーである。内蔵ストレージ４は、出力画像データＤ０を含む印刷ジョブデータＤ００および原稿画像データＤ１などの各種のデータを記憶可能である。例えば、ハードディスクドライブまたはＳＳＤ（Solid State Drive）などが、内蔵ストレージ４として採用される。
【００２０】
通信Ｉ／Ｆ７は、ＬＡＮ（Local Area Network）などのネットワーク８０を通じて端末装置８などの他の装置と通信を行うインターフェイスである。通信Ｉ／Ｆ７は、１ページ分以上の出力ページ画像のデータを含む印刷ジョブデータＤ００を端末装置８から受信する通信部の一例である。
【００２１】
制御部５は、各種の演算、データ処理および画像形成装置１０が備える各種の電子機器の制御を実行する。制御部５は、バスを通じて内蔵ストレージ４および通信Ｉ／Ｆ７との間でデータおよび制御信号の受け渡しが可能である。
【００２２】
制御部５は、ＡＤＦ１および画像読取部２を制御する読取制御部５１と、画像形成部３を制御する印刷制御部５２と、ユーザーＩ／Ｆ６を制御するＵＩ（User InterFace）制御部５３などを含む。
【００２３】
例えば、制御部５は、予め内蔵ストレージ４などに記憶されたプログラムを実行するプロセッサーによって実現される。
【００２４】
ところで、画像形成装置１０において、ユーザーが操作する端末装置８から受信した印刷ジョブデータＤ００に基づくジョブの実行により得られる第１の印刷物と、原稿９１のコピーにより得られる第２の印刷物とをページ単位で所望の順序に並べ替えることによって１組の印刷物を得たい場合がある。この場合、２種類の印刷物をページ単位で並べ替える作業が手間である。
【００２５】
画像形成装置１０は、図２に示される受信印刷制御を実行可能である。これにより、画像形成装置１０において、端末装置８から受信した印刷ジョブデータＤ００に基づくページ画像と原稿９１のコピーにより得られるページ画像とがページ単位で所望の順序で並ぶ印刷物を得ることが容易である。
【００２６】
［受信印刷制御の手順］
以下、図２に示されるフローチャートを参照しつつ、画像形成装置１０による前記受信印刷制御の手順の一例について説明する。
【００２７】
前記受信印刷制御は、通信Ｉ／Ｆ７が端末装置８から印刷ジョブデータＤ００を受信したときに印刷制御部５２によって開始される。以下の説明において、Ｓ１０１，Ｓ１０２，…は、前記受信印刷制御において制御部５が実行する工程の識別符号を表す。
【００２８】
＜工程Ｓ１０１＞
前記受信印刷制御において、まず、印刷制御部５２が通信Ｉ／Ｆ７を通じて印刷ジョブデータＤ００を取得し、その印刷ジョブデータＤ００を内蔵ストレージ４に記録する。
【００２９】
＜工程Ｓ１０２＞
次に、印刷制御部５２は、混合印刷コマンドＤ０１が印刷ジョブデータＤ００に含まれるか否かを判定する。混合印刷コマンドＤ０１は、印刷ジョブデータＤ００が混合印刷処理の対象であることを示すコマンドである。
【００３０】
前記混合印刷処理は、印刷ジョブデータＤ００に含まれる出力画像データＤ０に基づくページ毎の前記印刷処理と、原稿９１の画像の読み取りによって得られる予定の原稿画像データＤ１に基づくページ毎の前記印刷処理とを、ユーザーによって設定されるページ混合条件に従った順序で実行する処理である。
【００３１】
印刷制御部５２は、混合印刷コマンドＤ０１が印刷ジョブデータＤ００に含まれないと判定した場合、処理を工程Ｓ１０３へ移行させ、混合印刷コマンドＤ０１が印刷ジョブデータＤ００に含まれると判定した場合、処理を工程Ｓ１０４へ移行させる。
【００３２】
＜工程Ｓ１０３＞
工程Ｓ１０３において、印刷制御部５２は、印刷ジョブデータＤ００に含まれる出力画像データＤ０に基づく通常の前記印刷処理を画像形成部３に実行させる。これにより、出力画像データＤ０が表す１ページ分以上の前記出力ページ画像が、印刷ジョブデータＤ００において指定されているページ順序で１枚または複数枚のシート９２に形成される。
【００３３】
印刷制御部５２は、工程Ｓ１０３の処理の終了後、前記受信印刷制御を終了させる。
【００３４】
＜工程Ｓ１０４＞
工程Ｓ１０４において、読取制御部５１が、タッチパネル６ａに対するユーザーの読取開始操作に従って、原稿９１から画像を読み取る画像読取処理を画像読取部２に実行させる。さらに、読取制御部５１は、前記画像読取処理によって得られる原稿画像データＤ１を内蔵ストレージ４に記録する。
【００３５】
工程Ｓ１０４において、ＡＤＦ１の原稿センサー１Ｃが供給トレイ１Ａ上の原稿９１を検知している場合、読取制御部５１は、ＡＤＦ１に原稿９１を搬送させ、ＡＤＦ１によって搬送されている原稿９１を対象とする前記画像読取処理を画像読取部２に実行させる。
【００３６】
＜工程Ｓ１０５＞
次に、ＵＩ制御部５３が、ページ混合条件の入力画面である混合条件入力画面Ｇ０を表示部６ｂに表示させる。図３に示される混合条件入力画面Ｇ０は、前記ページ混合条件の入力画面の一例である。
【００３７】
前記ページ混合条件は、１ページ分以上の前記出力ページ画像および１ページ分以上の前記原稿ページ画像についてのページ単位の印刷順序およびページ単位の印刷数を指定する条件である。さらに、前記ページ混合条件が、複数ページ分の前記出力ページ画像における一部のページの画像を前記原稿ページ画像に置き換える置換条件を含む場合もある。
【００３８】
図３に示される例において、混合条件入力画面Ｇ０は、第１サムネイル枠Ｇ１、第２サムネイル枠Ｇ２、印刷アイコンＧ３、中止アイコンＧ４およびゴミ箱アイコンＧ５などを含む。
【００３９】
第１サムネイル枠Ｇ１は、混合条件入力画面Ｇ０の初期状態において、出力サムネイル画像Ｇ１０が表示される領域を表す枠である。出力サムネイル画像Ｇ１０は、前記出力ページ画像に対応するサムネイル画像であり、少なくとも前記出力ページ画像のページ番号を表す画像である。
【００４０】
図３〜７に示される例では、出力サムネイル画像Ｇ１０は、第１識別記号Ｇ１１および第１ページ番号Ｇ１２を示す画像である。第１識別記号Ｇ１１は、前記出力ページ画像のサムネイル画像であることを示す記号である。第１ページ番号Ｇ１２は、印刷ジョブデータＤ００において設定されている前記出力ページ画像のページ番号である。
【００４１】
なお、出力サムネイル画像Ｇ１０が、対応する前記出力ページ画像の縮小画像を含むことも考えられる。この場合、出力サムネイル画像Ｇ１０は、前記出力ページ画像のプレビュー画像として機能する。
【００４２】
第２サムネイル枠Ｇ２は、混合条件入力画面Ｇ０の初期状態において、原稿サムネイル画像Ｇ２０が表示される領域を表す枠である。原稿サムネイル画像Ｇ２０は、前記原稿ページ画像に対応するサムネイル画像であり、少なくとも前記原稿ページ画像のページ番号を表す画像である。前記原稿ページ画像のページ番号は、前記画像読取処理における原稿９１の順番に相当する。
【００４３】
図３〜７に示される例では、原稿サムネイル画像Ｇ２０は、第２識別記号Ｇ２１および第２ページ番号Ｇ２２を示す画像である。第２識別記号Ｇ２１は、前記原稿ページ画像のサムネイル画像であることを示す記号である。第２ページ番号Ｇ２２は、前記原稿ページ画像のページ番号である。
【００４４】
なお、原稿サムネイル画像Ｇ２０が、対応する前記原稿ページ画像の縮小画像を含むことも考えられる。この場合、原稿サムネイル画像Ｇ２０は、前記原稿ページ画像のプレビュー画像として機能する。
【００４５】
＜工程Ｓ１０６＞
さらに、ＵＩ制御部５３は、混合条件入力画面Ｇ０を表示部６ｂに表示させつつ、タッチパネル６ａに対する入力操作に従って前記ページ混合条件を設定する。なお、図３〜７において、タッチパネル６ａを操作する指９０が仮想線（二点鎖線）で示されている。
【００４６】
具体的には、原稿サムネイル画像Ｇ２０が表示部６ｂに表示されている場合に、タッチパネル６ａにおいて原稿サムネイル画像Ｇ２０に対するドラッグ＆ドロップ操作は、ページ単位の前記印刷順序を入力する操作、または、前記置換条件を入力する操作である。
【００４７】
即ち、図３に示されるように、原稿サムネイル画像Ｇ２０を第１サムネイル枠Ｇ１内における出力サムネイル画像Ｇ１０の左隣または右隣の位置にドロップする前記ドラッグ＆ドロップ操作が行われる場合がある。この操作は、ドロップされた原稿サムネイル画像Ｇ２０に対応する前記原稿ページ画像と、ドロップ位置の隣の出力サムネイル画像Ｇ１０に対応する前記出力ページ画像との印刷の先後の条件を入力する操作である。
【００４８】
図４，５，７に示される例において、サムネイル画像Ｇ１０，Ｇ２０が第１サムネイル枠Ｇ１内の左側に位置することは、そのサムネイル画像Ｇ１０，Ｇ２０に対応する前記出力ページ画像または前記原稿ページ画像が、右側に位置するサムネイル画像Ｇ１０，Ｇ２０に対応する前記出力ページ画像または前記原稿ページ画像よりも先に印刷されることを意味する。
【００４９】
原稿サムネイル画像Ｇ２０は、前記ドラッグ＆ドロップ操作によって第１サムネイル枠Ｇ１内にドロップされると、第２サムネイル枠Ｇ２内から消去され、第１サムネイル枠Ｇ１内におけるドロップされた位置に表示される。
【００５０】
また、図４に示されるように、原稿サムネイル画像Ｇ２０を第１サムネイル枠Ｇ１内における出力サムネイル画像Ｇ１０の上にドロップする前記ドラッグ＆ドロップ操作が行われる場合がある。この操作は、ドロップ位置に存在する出力サムネイル画像Ｇ１０に対応する前記出力ページ画像を、ドロップされた原稿サムネイル画像Ｇ２０に対応する前記原稿ページ画像に置き換えることを意味する前記置換条件を入力する操作である。
【００５１】
原稿サムネイル画像Ｇ２０がドロップされた位置に表示されていた出力サムネイル画像Ｇ１０は、第１サムネイル枠Ｇ１内から消去される。
【００５２】
置き換えの対象となった前記出力ページ画像は印刷されない。しかしながら、ＵＩ制御部５３は、置き換えの対象となった前記出力ページ画像を印刷対象として復活させるための復活操作がタッチパネル６ａに対して行われた場合、その復活操作に従って前記ページ混合条件を変更する。
【００５３】
本実施形態において、前記復活操作は、ゴミ箱アイコンＧ５をタッチし、これに応じて表示部６ｂに表示される出力サムネイル画像Ｇ１０を、前記ドラッグ＆ドロップ操作によって第１サムネイル枠Ｇ１内にドロップする操作である。なお、ゴミ箱アイコンＧ５のタッチに応じて表示される出力サムネイル画像Ｇ１０は、置き換えの対象となった前記出力ページ画像に対応するサムネイル画像である。
【００５４】
また、第１サムネイル枠Ｇ１内には、第１サムネイル枠Ｇ１内に表示されている出力サムネイル画像Ｇ１０および原稿サムネイル画像Ｇ２０のそれぞれに対応する印刷数アイコンＧ１３も表示される。
【００５５】
印刷数アイコンＧ１３は、対応する出力サムネイル画像Ｇ１０または原稿サムネイル画像Ｇ２０の印刷数を示すアイコンであるとともに、その印刷数の条件を入力する操作を受け付けるアイコンでもある。
【００５６】
印刷数アイコンＧ１３がタッチされると、ＵＩ制御部５３は、テンキーを含む印刷数入力画面Ｇ０１を表示部６ｂに表示させ、前記テンキーに対する数値入力操作に従って前記印刷数を設定する（図６参照）。これにより、前記出力ページ画像および前記原稿ページ画像それぞれの前記印刷数が個別に設定される。前記印刷数の初期値は１である。
【００５７】
以上に示されるように、ＵＩ制御部５３は、出力サムネイル画像Ｇ１０と原稿サムネイル画像Ｇ２０とを含む混合条件入力画面Ｇ０を表示部６ｂに表示させる（Ｓ１０５）。さらに、ＵＩ制御部５３は、混合条件入力画面Ｇ０における出力サムネイル画像Ｇ１０および原稿サムネイル画像Ｇ２０の配列を、タッチパネル６ａを通じて入力される前記ページ混合条件に従って更新する（Ｓ１０５）。
【００５８】
また、ＵＩ制御部５３は、タッチパネル６ａを通じて入力された前記ページ混合条件を表すページ混合条件データＤ２を設定する。図８に示される例では、ページ混合条件データＤ２は、印刷順序を表す順序番号Ｄ２１ごとに、前記出力ページ画像または前記原稿ページ画像を識別する画像識別子Ｄ２２と、印刷数データＤ２３とを含む。
【００５９】
前記出力ページ画像の一部に対応する画像識別子Ｄ２２がページ混合条件データＤ２に存在しないことは、前記出力ページ画像の一部が前記原稿ページ画像に置き換えられた前記置換条件を表す。
【００６０】
なお、混合条件入力画面Ｇ０の初期状態において、原稿サムネイル画像Ｇ２０が第１サムネイル枠Ｇ１内に表示され、出力サムネイル画像Ｇ１０が第２サムネイル枠Ｇ２内に表示されることも考えられる。この場合、前記原稿ページ画像の一部に対応する画像識別子Ｄ２２がページ混合条件データＤ２に存在しないことは、前記原稿ページ画像の一部が前記出力ページ画像に置き換えられた前記置換条件を表す。
【００６１】
そして、ＵＩ制御部５３は、混合条件入力画面Ｇ０内の印刷アイコンＧ３が操作されるまで、タッチパネル６ａに対する入力操作に従ってページ混合条件データＤ２を設定する処理（Ｓ１０６）と、ページ混合条件データＤ２の設定内容に応じて混合条件入力画面Ｇ０を更新する処理（Ｓ１０５）とを繰り返す。
【００６２】
また、混合条件入力画面Ｇ０内の印刷アイコンＧ３が操作されたときに、ＵＩ制御部５３は、前記ページ混合条件の入力が確定したと判定し、処理を次の工程Ｓ１０７へ移行させる。
【００６３】
なお、混合条件入力画面Ｇ０内の中止アイコンＧ４が操作された場合、ＵＩ制御部５３は、前記受信印刷制御を途中で終了させる。この途中終了の工程の記載は、図２において省略されている。
【００６４】
以上に示されるように、工程Ｓ１０５，Ｓ１０６において、ＵＩ制御部５３は、混合条件入力画面Ｇ０を表示部６ｂに表示させつつ、タッチパネル６ａに対する前記入力操作に従ってページ混合条件データＤ２を取得する。工程Ｓ１０５，Ｓ１０６の処理を実行するＵＩ制御部５３は、前記ページ混合条件の情報を取得する混合条件取得部の一例である。
【００６５】
＜工程Ｓ１０７＞
工程Ｓ１０７において、印刷制御部５２が、工程Ｓ１０６で設定されたページ混合条件データＤ２に従った前記混合印刷処理を画像形成部３に実行させる。印刷制御部５２は、工程Ｓ１０７の処理の終了後、前記受信印刷制御を終了させる。
【００６６】
即ち、印刷制御部５２は、通信Ｉ／Ｆ７により受信された印刷ジョブデータＤ００が混合印刷コマンドＤ０１を含む場合、画像読取部２が原稿９１の画像を読み取り（Ｓ１０４）、かつ、ＵＩ制御部５３が前記ページ混合条件の情報を取得するまで（Ｓ１０５，Ｓ１０６）、印刷ジョブデータＤ００に基づく前記印刷処理を保留する。
【００６７】
画像形成装置１０が採用されることにより、端末装置８から受信した印刷ジョブデータＤ００に対応する前記出力ページ画像と原稿９１のコピーにより得られる前記原稿ページ画像とがページ単位で所望の順序で並ぶ印刷物を容易に得ることができる。
【００６８】
また、本実施形態において、ページ混合条件データＤ２が印刷数データＤ２３を含み、また、ページ混合条件データＤ２において前記置換条件を設定可能である。そのため、前記印刷物における前記出力ページ画像および前記原稿ページ画像の混合方法の自由度が高い。
【００６９】
また、印刷ジョブデータＤ００が予め定められた混合印刷コマンドＤ０１を含む場合に、画像読取部２が原稿９１の画像を読み取り（Ｓ１０４）、かつ、ＵＩ制御部５３が前記ページ混合条件の情報を取得し（Ｓ１０５，Ｓ１０６）、その後、印刷制御部５２が前記混合印刷処理を画像形成部３に実行させる（Ｓ１０７）。
【００７０】
上記の場合、ユーザーは、端末装置８に対して印刷ジョブデータＤ００を送信する操作を行い、その後、画像形成装置１０のタッチパネル６ａを操作することにより、所望の印刷物を得ることができる。そのため、前記ユーザーは、端末装置８と画像形成装置１０との間を１往復すればよく、無駄な移動は不要である。
【００７１】
また、混合条件入力画面Ｇ０における出力サムネイル画像Ｇ１０および原稿サムネイル画像Ｇ２０の配列が、タッチパネル６ａを通じて入力される前記ページ混合条件に従って更新される（Ｓ１０５）。そのため、ユーザーは、サムネイル画像Ｇ１０，Ｇ２０の表示状態によって前記ページ混合条件の内容を確認しつつ、容易に前記ページ混合条件を入力することができる。
【００７２】
［第２実施形態］
次に、第２実施形態に係る画像形成装置について説明する。以下、本実施形態に係る画像形成装置における画像形成装置１０と異なる点について説明する。
【００７３】
本実施形態に係る画像形成装置は、画像形成装置１０と比較して、ページ混合条件データＤ２の取得方法が異なり、その他については画像形成装置１０と同じ構成を備える。
【００７４】
本実施形態において、ページ混合条件データＤ２は、端末装置８において設定され、ページ混合条件データＤ２を含む印刷ジョブデータＤ００が端末装置８から本実施形態に係る画像形成装置へ送信される。
【００７５】
例えば、端末装置８が、プリンタードライバープログラムを実行することにより、図２の工程Ｓ１０５，Ｓ１０６の処理と同様の処理を実行する。これにより、ページ混合条件データＤ２が端末装置８において設定される。
【００７６】
以下、図９に示されるフローチャートを参照しつつ、第２実施形態に係る画像形成装置における前記受信印刷制御の手順の一例について説明する。
【００７７】
本実施形態においても、前記受信印刷制御は、通信Ｉ／Ｆ７が端末装置８から印刷ジョブデータＤ００を受信したときに印刷制御部５２によって開始される。以下の説明において、Ｓ２０１，Ｓ２０２，…は、前記受信印刷制御において制御部５が実行する工程の識別符号を表す。
【００７８】
＜工程Ｓ２０１＞
まず、印刷制御部５２が通信Ｉ／Ｆ７を通じて印刷ジョブデータＤ００を取得し、その印刷ジョブデータＤ００を内蔵ストレージ４に記録する。この工程Ｓ２０１の処理は、図２の工程Ｓ１０１の処理と同じである。
【００７９】
＜工程Ｓ２０２＞
次に、印刷制御部５２は、混合印刷コマンドＤ０１が印刷ジョブデータＤ００に含まれるか否かを判定する。この工程Ｓ２０２の処理は、図２の工程Ｓ１０２の処理と同じである。本実施形態において、印刷ジョブデータＤ００が混合印刷コマンドＤ０１を含むことは、印刷ジョブデータＤ００がページ混合条件データＤ２を含むことを意味する。
【００８０】
印刷制御部５２は、混合印刷コマンドＤ０１が印刷ジョブデータＤ００に含まれないと判定した場合、処理を工程Ｓ２０３へ移行させ、混合印刷コマンドＤ０１が印刷ジョブデータＤ００に含まれると判定した場合、処理を工程Ｓ２０４へ移行させる。
【００８１】
なお、本実施形態において、ページ混合条件データＤ２を含む印刷ジョブデータＤ００を受信する通信Ｉ／Ｆ７が、ページ混合条件データＤ２を取得する前記混合条件取得部を兼ねる。
【００８２】
＜工程Ｓ２０３＞
工程Ｓ２０３において、印刷制御部５２は、印刷ジョブデータＤ００に含まれる出力画像データＤ０に基づく通常の前記印刷処理を画像形成部３に実行させる。この工程Ｓ２０３の処理は、図２の工程Ｓ１０３の処理と同じである。
【００８３】
印刷制御部５２は、工程Ｓ２０３の処理の終了後、前記受信印刷制御を終了させる。
【００８４】
＜工程Ｓ２０４＞
工程Ｓ２０４において、読取制御部５１が、タッチパネル６ａに対するユーザーの読取開始操作に従って、原稿９１から画像を読み取る画像読取処理を画像読取部２に実行させる。さらに、読取制御部５１は、前記画像読取処理によって得られる原稿画像データＤ１を内蔵ストレージ４に記録する。この工程Ｓ２０４の処理は、図２の工程Ｓ１０４の処理と同じである。
【００８５】
＜工程Ｓ２０５＞
次に、印刷制御部５２が、印刷ジョブデータＤ００に含まれるページ混合条件データＤ２に従った前記混合印刷処理を画像形成部３に実行させる。印刷制御部５２は、工程Ｓ２０５の処理の終了後、前記受信印刷制御を終了させる。
【００８６】
即ち、印刷ジョブデータＤ００がページ混合条件データＤ２を含む場合、画像読取部２が原稿９１の画像を読み取った後に（Ｓ２０４）、印刷制御部５２が前記混合印刷処理を画像形成部３に実行させる（Ｓ２０５）。
【００８７】
本実施形態に係る画像形成装置が採用されても、画像形成装置１０が採用される場合と同様の効果が得られる。
【００８８】
[応用例]
第１実施形態に係る画像形成装置１０が、第２実施形態に係る画像形成装置における前記受信印刷制御を実行する機能をさらに備えることも考えられる。この場合、混合印刷コマンドＤ０１を含む印刷ジョブデータＤ００が、ページ混合条件データＤ２を含まない場合に、ＵＩ制御部５３が図２の工程Ｓ１０５，Ｓ１０６の処理を実行し、さらに印刷制御部５２が図２の工程Ｓ１０４，Ｓ１０７の処理を実行する。
【００８９】
また、混合印刷コマンドＤ０１を含む印刷ジョブデータＤ００が、ページ混合条件データＤ２を含む場合に、印刷制御部５２が図９の工程Ｓ２０４，Ｓ２０５の処理を実行する。
【００９０】
また、画像形成装置１０において、ＵＩ制御部５３が図２の工程Ｓ１０５，Ｓ１０６の処理を実行した後に、印刷制御部５２が印刷ジョブデータＤ００の受信を待つ待機状態となることも考えられる。この場合、通信Ｉ／Ｆ７が印刷ジョブデータＤ００を受信したときに、印刷制御部５２が、図２の工程Ｓ１０１，Ｓ１０４，Ｓ１０７の処理を実行する。
【符号の説明】
【００９１】
１Ａ      ：供給トレイ
１Ｂ      ：排出トレイ
１Ｃ      ：原稿センサー
２        ：画像読取部
３        ：画像形成部
４        ：内蔵ストレージ
５        ：制御部
６        ：ユーザーＩ／Ｆ
６ａ      ：タッチパネル（操作部）
６ｂ      ：表示部
７        ：通信Ｉ／Ｆ（通信部）
８        ：端末装置
１０      ：画像形成装置
５１      ：読取制御部
５２      ：印刷制御部
５３      ：ＵＩ制御部（混合条件取得部）
８０      ：ネットワーク
９０      ：指
９１      ：原稿
９２      ：シート
Ｄ０      ：出力画像データ
Ｄ００    ：印刷ジョブデータ
Ｄ０１    ：混合印刷コマンド
Ｄ１      ：原稿画像データ
Ｄ２      ：ページ混合条件データ
Ｄ２１    ：順序番号
Ｄ２２    ：画像識別子
Ｄ２３    ：印刷数データ
Ｇ０      ：混合条件入力画面
Ｇ０１    ：印刷数入力画面
Ｇ１      ：第１サムネイル枠
Ｇ１０    ：出力サムネイル画像
Ｇ１１    ：第１識別記号
Ｇ１２    ：第１ページ番号
Ｇ１３    ：印刷数アイコン
Ｇ２      ：第２サムネイル枠
Ｇ２０    ：原稿サムネイル画像
Ｇ２１    ：第２識別記号
Ｇ２２    ：第２ページ番号
Ｇ３      ：印刷アイコン
Ｇ４      ：中止アイコン
Ｇ５      ：ゴミ箱アイコン
【図１】
2018037823.tif 000003
【図２】
2018037823.tif 000004
【図３】
2018037823.tif 000005
【図４】
2018037823.tif 000006
【図５】
2018037823.tif 000007
【図６】
2018037823.tif 000008
【図７】
2018037823.tif 000009
【図８】
2018037823.tif 000010
【図９】
2018037823.tif 000011